(57)【要約】【課題】締結部材の本数を少なくすることにより組立時の作業性を良好にすることができるとともにカプラのぶれを防止することができる屋外照明器具を提供する。【解決手段】屋外照明器具１０は、本体ケース１１と、点灯装置１４及びカプラ１５を固定する取付金具１３と、カプラ１５に装着されるランプ１６と、本体ケース１１の一方側に回動支点となるように支持され、本体ケース１１の他方側にラッチ手段１８により固定されるグローブ１７と、を備え、取付金具１３は、本体ケース１１の他方側が自由端となるように本体ケース１１に固定されているとともにグローブ１７との間に弾性部材１９を介在させており、ラッチ手段１８によりグローブ１７が固定された時に自由端が本体ケース１１に固定される。【選択図】図１
2010225521.tif 000002
【特許請求の範囲】
【請求項１】
本体ケースと、
点灯装置及びカプラを固定する取付金具と、
前記カプラに装着されるランプと、
前記本体ケースの一方側に回動支点となるように支持され、前記本体ケースの他方側にラッチ手段により固定されるグローブと、
を備えた屋外照明器具であって、
前記取付金具は、前記本体ケースの他方側が自由端となるように前記本体ケースに固定されているとともに前記グローブとの間に弾性部材を介在させており、前記ラッチ手段により前記グローブが固定された時に自由端が前記本体ケースに固定されることを特徴とする屋外照明器具。
【請求項２】
前記弾性部材は、前記取付金具及び前記グローブのいずれかに予め取り付けられていることを特徴とする請求項１に記載した屋外照明器具。
【発明の詳細な説明】
【技術分野】
【０００１】
本発明は、例えば屋外に設置されて道路や公園等を照明して防犯を図る街路灯に用いられる屋外照明器具に関する。
【背景技術】
【０００２】
本発明者らは、ボディとカバーとを備え、点灯回路およびランプを装着するカプラを有する基板の四隅を取付ネジによりボディにねじ止めした屋外照明器具を既に提案している（例えば特許文献１参照）。
【先行技術文献】
【特許文献】
【０００３】
【特許文献１】特開２００８−２４３５０６号公報（図１、段落番号０００９）
【発明の概要】
【発明が解決しようとする課題】
【０００４】
ところが、上記特許文献１に開示された従来の屋外照明器具では、基板の四隅を取付ネジ等の締結部材によりボディにねじ止めしている。
従って、締結部材の本数を多く必要とするばかりか、組立時の作業性が良好ではない。
【０００５】
加えて、上記特許文献１に開示された従来の屋外照明器具では、基板のカプラ側がねじ止めされている。
従って、ボディに与えられた振動がカプラに直接かかり、カプラのぶれの原因になりかねない。
【０００６】
本発明は、前述した課題を解決するためになされたものであり、その目的は、締結部材の本数を少なくすることにより組立時の作業性を良好にすることができるとともにカプラのぶれを防止することができる屋外照明器具を提供することにある。
【課題を解決するための手段】
【０００７】
本発明に係る屋外照明器具は、本体ケースと、点灯装置及びカプラを固定する取付金具と、前記カプラに装着されるランプと、前記本体ケースの一方側に回動支点となるように支持され、前記本体ケースの他方側にラッチ手段により固定されるグローブと、を備えた屋外照明器具であって、前記取付金具は、前記本体ケースの他方側が自由端となるように前記本体ケースに固定されているとともに前記グローブとの間に弾性部材を介在させており、前記ラッチ手段により前記グローブが固定された時に自由端が前記本体ケースに固定されることを特徴とする。
【０００８】
本発明においては、取付金具における本体ケースの他方側は自由端となって本体ケースに締結部材等で固定されない。
これにより、取付金具における本体ケースの一方側のみに締結部材を用いることになる。
従って、締結部材の本数を減少させることができるとともに組立時の作業性を良好にすることができる。
【０００９】
本発明においては、取付金具の自由端は、ラッチ手段によりグローブが本体ケースに固定された際にグローブとの間に配置した弾性部材に支持される。
これにより、万が一に、取付金具の自由端に振動が与えられたとしてもカプラに振動成分を直接与えることがない。
従って、カプラのぶれを防止することができる。
【００１０】
本発明に係る屋外照明器具は、上記屋外照明器具において、前記弾性部材は、前記取付金具及び前記グローブのいずれかに予め取り付けられていることを特徴とする。
【００１１】
本発明においては、弾性部材は取付金具及びグローブのいずれかに予め取り付けられれば良い。
従って、取付金具は、ラッチ手段によりグローブが本体ケースに固定された際に、グローブに取り付けられている弾性部材または取付金具に取り付けられている弾性部材により支持される。
【発明の効果】
【００１２】
本発明の屋外照明器具によれば、本体ケースと、点灯装置及びカプラを固定する取付金具と、カプラに装着されるランプと、本体ケースの一方側に回動支点となるように支持され、本体ケースの他方側にラッチ手段により固定されるグローブと、を備え、取付金具は、本体ケースの他方側が自由端となるように本体ケースに固定されているとともにグローブとの間に弾性部材を介在させており、ラッチ手段によりグローブが固定された時に自由端が本体ケースに固定される。
これにより、締結部材の本数を少なくすることにより組立時の作業性を良好にすることができるとともにカプラのぶれを防止することができるという効果を有する。
【図面の簡単な説明】
【００１３】
【図１】本発明に係る一実施形態の屋外照明器具のグローブを開放した側面図
【図２】図１の屋外照明器具のグローブを閉塞した側面図
【図３】図２の屋外照明器具の外観斜視図
【図４】図１の屋外照明器具の取付金具の外観斜視図
【図５】図１の屋外照明器具における本体ケースの組立手順を説明する初期段階の底面図
【図６】図１の屋外照明器具における本体ケースの組立手順を説明する第１段階の底面図
【図７】図１の屋外照明器具における本体ケースの組立手順を説明する第２段階の底面図
【図８】図１の屋外照明器具における本体ケースの組立手順を説明する第３段階の底面図
【図９】図１の屋外照明器具における本体ケースの組立手順を説明する第４段階の底面図
【発明を実施するための形態】
【００１４】
以下、本発明の一実施形態に係る屋外照明器具について図面を参照して説明する。
【００１５】
図１に示すように、本発明の一実施形態である屋外照明器具１０は、照明柱１２に固定される本体ケース１１と、点灯装置１４及びカプラ１５を固定した取付金具１３と、カプラ１５に装着される無電極放電ランプ１６と、本体ケース１１の一方側に回動支点となるように支持されて本体ケース１１の他方側にラッチ手段１８を介して固定されるグローブ１７と、を備え、取付金具１３に弾性部材１９を固定した街路灯である。
【００１６】
本体ケース１１は、成形材料である例えばアルミニウムダイカストを用いて下方を開放した半卵形状に形成されている。本体ケース１１の表面には腐食防止のための塗装が施されている。
【００１７】
本体ケース１１は、その照明柱１２側の一方側に照明柱１２を固定するための照明柱固定板２０をボルト２１により支持している。
【００１８】
本体ケース１１は、その照明柱１２側の一方側とグローブ１７の一方側との間にヒンジ部材２２を設けている。ヒンジ部材２２はグローブ１７の一方側の回動支点となってグローブ１７を本体ケース１１に開閉自在に連結している。
【００１９】
本体ケース１１は、その一方側に取付金具１３の一方側を支持するための一方側支持用ボス部２３を天板２４上に突出形成している。本体ケース１１は、その反照明柱１２側の他方側に取付金具１３の他方側を支持するための他方側支持用ボス部２５を突出形成している。本体ケース１１は一方側支持用ボス部２３と他方側支持用ボス部２５との間に器内配線押え板２６を固定している。
【００２０】
本体ケース１１は、その一方側の外面にラッチ手段１８を備えている。ラッチ手段１８はヒンジ部材２２を介して本体ケース１１に閉塞されたグローブ１７の一方側に掛止してグローブ１７を本体ケース１１に固定する。本体ケース１１は、その開口縁部に無端状の防水パッキン部材２７を装着している。
【００２１】
照明柱１２は、その基端部を地中に埋設され、その先端部側を垂直方向に対して例えば４５度傾斜して折り曲げ成形されている。
【００２２】
取付金具１３は例えば絶縁性のある金属製板部材により成形されている。取付金具１３は、本体ケース１１の一方側支持用ボス部２３上に載置される一方側板部２８と、本体ケース１１の他方側支持用ボス部２５上に載置される他方側板部２９とを有する。
【００２３】
取付金具１３は一方側板部２８を通じて締結部材であるネジ３０が一方側支持用ボス部２３にねじ込まれることにより一方側が一方側支持用ボス部２３にねじ固定される。しかし、取付金具１３の他方側板部２９は他方側支持用ボス部２５上に載置されるだけである。つまりは、他方側板部２９は他方側支持用ボス部２５にねじ止めされない。
これにより、取付金具１３の他方側板部２９は自由端となり、組立に際し、取付金具１３における本体ケース１１の一方側のみにネジ３０を用いることになる。
【００２４】
点灯装置１４は取付金具１３の他方側に取り付けられており、端子台３１を固定している。点灯装置１４は一方の器内配線３２を端子台３１に電気的に接続しており、他方の器内配線３３を器内配線押え板２６と天板２４との間の空隙を挿通させてカプラ１５に電気的に接続している。
【００２５】
端子台３１は照明柱１２の内部等を通じて外部の制御回路に電気的に接続されている。点灯装置１４は制御回路から供給された電流を高周波電流に変換してカプラ１５に与える。
【００２６】
無電極放電ランプ１６はカプラ１５に装着されている。無電極放電ランプ１６はフェライトコア３４に誘導コイル３５を巻回している。無電極放電ランプ１６は誘導コイル３５に点灯装置１４から高周波電流が通電されることにより誘導コイル３５に高周波電磁界が生じ、放電ガスが高周波電磁界により励起発光されて紫外線を放射し、放射された紫外線がバルブ内で可視光に変換されて点灯する。
【００２７】
グローブ１７は例えば透明やオレンジ色等の透光性のある樹脂製であって本体ケース１１に被される上方を開放した卵形状に形成されている。グローブ１７は無電極放電ランプ１６からの光を拡散するための凹凸面３６を形成している。
【００２８】
弾性部材１９は、予め定められた弾性反発力を蓄積する体積を有するゴム製部材である。弾性部材１９は直方体形状に形成されて取付金具１３の一方側板部２８の反一方側支持用ボス部２３側に固定されている。弾性部材１９は取付金具１３の一方側板部２８の反一方側支持用ボス部２３側に代えて、グローブ１７の開口縁部でも良い。また、弾性部材１９はゴム製部材に代えてねじりコイルばね等を適用しても良いことは言うまでもない。
【００２９】
図２、図３に示すように、屋外照明器具１０は、照明柱１２の先端部を照明柱固定板２０と本体ケース１１との間に挟み込み、ボルト２１をねじ込むことにより照明柱１２に取り付けられる。
【００３０】
そして、グローブ１７がヒンジ部材２２を介して本体ケース１１を閉塞するように閉成され、ラッチ手段１８がグローブ１７の一方側に掛止される。
【００３１】
ラッチ手段１８がグローブ１７の一方側に掛止されることにより、グローブ１７の開口縁部が本体ケース１１の防水パッキン部材２７に圧接される。同時に、グローブ１７の開口縁部が弾性部材１９に圧接されて弾性部材１９を弾性変形させる。
【００３２】
取付金具１３は、その他方側板部２９がラッチ手段１８によりグローブ１７が本体ケース１１に固定された際にグローブ１７との間に配置した弾性部材１９に支持される。
これにより、万が一に、取付金具１３の他方側板部２９に振動が与えられたとしてもカプラ１５に振動成分を直接与えることがない。
【００３３】
図４に示すように、取付金具１３は、その長さ方向の複数個所で折り曲げ成形されることにより曲げ応力に抗する強度を有する。取付金具１３にはカプラ１５の周囲にリフレクタ（図８参照）３７が取り付けられている。
【００３４】
カプラ１５はグローブ１７と本体ケース１１との間の空間に外径の大きい無電極放電ランプ１６を収容できるように斜めに傾斜して取付金具１３に組み付けられている。
【００３５】
次に、屋外照明器具１０における本体ケース１１の組立手順について説明する。
【００３６】
図５、図６に示すように、初期段階および第１段階において本体ケース１１の一方側支持用ボス部２３と他方側支持用ボス部２５との間に器内配線押え板２６を固定する。
【００３７】
図７に示すように、第２段階において、取付金具１３の一方側板部２８が一方側支持用ボス部２３上に載置されるとともに取付金具１３の他方側板部２９が他方側支持用ボス部２５上に載置される。そして、一方側板部２８のみがネジ３０により一方側支持用ボス部２３にねじ込まれて固定される。
【００３８】
図８に示すように、第３段階において、取付金具１３の中央部にリフレクタ３７が取り付けられる。リフレクタ３７はカプラ１５に装着される無電極放電ランプ１６からの光をグローブ１７へ向けるように拡げられた形状に形成されている。
【００３９】
図９に示すように、第４段階において、カプラ１５に無電極放電ランプ１６が装着されることにより、本体ケース１１の組立が完了する。
【００４０】
本発明の一実施形態の屋外照明器具１０では、取付金具１３における本体ケース２２の他方側の他方側板部２９は自由端となって本体ケース１１にネジ３０により固定されない。
これにより、取付金具１３における本体ケース１１の一方側の一方側板部２８のみにネジ３０を用いることになる。
従って、ネジ３０の本数を減少させることができるとともに組立時の作業性を良好にすることができる。
【００４１】
本発明の一実施形態の屋外照明器具１０では、取付金具１３の自由端である他方側板部２９は、ラッチ手段１８によりグローブ１７が本体ケース１１に固定された際にグローブ１７との間に配置した弾性部材１９に支持される。
これにより、万が一に、取付金具１３の自由端の他方側板部２９に振動が与えられたとしてもカプラ１５に振動成分を直接与えることがない。
従って、カプラ１５のぶれを防止することができる。
【００４２】
本発明の一実施形態の屋外照明器具１０では、弾性部材１９は取付金具１３及びグローブ１７のいずれかに予め取り付けられる。
従って、取付金具１３は、ラッチ手段１８によりグローブ１７が本体ケース１１に固定された際に、グローブ１７に取り付けられている弾性部材１９または取付金具１３に取り付けられている弾性部材１９により支持される。
【００４３】
なお、前記実施形態で使用した照明柱１２、点灯装置１４、カプラ１５、無電極放電ランプ１６等は例示した形状に限定するものではなく適宜変更が可能である。
【符号の説明】
【００４４】
１０  屋外照明器具
１１  本体ケース
１３  取付金具
１４  点灯装置
１５  カプラ
１６  無電極放電ランプ（ランプ）
１７  グローブ
１８  ラッチ手段
１９  弾性部材
３０  ネジ（締結部材）
【図１】
2010225521.tif 000003
【図２】
2010225521.tif 000004
【図３】
2010225521.tif 000005
【図４】
2010225521.tif 000006
【図５】
2010225521.tif 000007
【図６】
2010225521.tif 000008
【図７】
2010225521.tif 000009
【図８】
2010225521.tif 000010
【図９】
2010225521.tif 000011